(57)【要約】      （修正有）【課題】インターネット化即時コピー装置を提供する。【解決手段】各コピー装置１は制御本体１０とコピーユニット２０を備え、前記制御本体には探知ユニット１１を設け、前記コピーユニットは制御本体の一端と電気的に接続し、前記コピーユニットは機器アーム２１と少なくとも二つのコピー機２２と光ディスク配置区２３とを備え、前記少なくとも二つのコピー機と光ディスク配置区は前記機器アームの一方側に設け、前記機器アームは光ディスクをキャッチし放し、少なくとも二つのコピー機は連続的に光ディスクをコピーする。前記モニターユニットは各コピー装置の制御本体と伝送制御し合って即時の監視を行い、継続して光ディスクの正常コピーを完成する。これにより、即時の通報監視、インターネットを通した便利な連絡、及び中断なしの継続的なコピーを行う。【選択図】図１
0003163615.tif 000002
【実用新案登録請求の範囲】
【請求項１】
少なくとも二つのコピー装置と一つのモニターユニットを備えるインターネット化即時コピー装置において、
前記各コピー装置は制御本体とコピーユニットを備え、前記制御本体は探知ユニットを設け、前記コピーユニットは制御本体の一端と電気的に接続し、前記コピーユニットは機器アームと少なくとも二つのコピー機と光ディスク配置区とを備え、前記少なくとも二つのコピー機と光ディスク配置区は前記機器アームの一方側に設け、前記機器アームは光ディスクをキャッチし放し、少なくとも二つのコピー機は連続的に光ディスクの焼き付けを完成させ、
前記モニターユニットは各コピー装置の制御本体と伝送制御し合って即時の監視を行い続けて光ディスクの正常コピーを完成させることを特徴とするインターネット化即時コピー装置。
【請求項２】
前記モニターユニットと各コピー装置の制御本体による相互伝送制御部分は有線伝送或いは無線伝送のいずれか一つを選択することを特徴とする請求項１記載のインターネット化即時コピー装置。
【請求項３】
前記モニターユニットはパソコン、携帯電話、携帯情報端末の何れか一つとすることを特徴とする請求項１記載のインターネット化即時コピー装置。
【請求項４】
前記各コピー装置には更にプリンター部を設け、前記プリンター部は機器アームの隣側に配置し、前記プリンター部は制御本体の他の一端と電気的に接続し、前記プリンター部にはプリンターとトレイを備え、前記トレイは制御本体のコントロールを受けて伸縮してコピー済みの光ディスクを収め、前記プリンターはトレイ上のコピー済みの光ディスクにデータをプリントすることを特徴とする請求項１記載のインターネット化即時コピー装置。
【請求項５】
前記光ディスク配置区の一端には複数の支持棒を繞設したコピー待ち区を設け、前記光ディスク配置区の他の一端には定位棒を含む完成した光ディスクを置くエリアを設けることを特徴とする請求項１記載のインターネット化即時コピー装置。
【考案の詳細な説明】
【技術分野】
【０００１】
本考案はインターネット化即時コピー装置に係り、特に少なくとも二つのコピー装置と一つのモニターユニットを組み合わせした設計によって即時通報と監視、インターネットを使用する便利な連絡、及び中断なしの継続的なコピーを兼ねた絶妙効果を有し、各種のインターネット化即時コピー装置或いは類似構造に適用するものである。
【背景技術】
【０００２】
現在市場にある公知のコピー装置は制御本体と複数のコピー機の組み合わせにより構成されるもので、その内、前記複数のコピー機は先ず使用者が手動でコピーのもととなるオリジナルディスクと少なくとも一つの空の光ディスクをそれぞれ各コピー機内に入れてコピー作業を行う。その後、人工コピーが時間のかかり過ぎる作業となった時、自動連続コピー可能なコピー装置が登場した。
【０００３】
しかし、前記の自動連続コピー可能なコピー装置は自動的連続的な光ディスクへのコピー効果を有するものの、使用時にコピー装置にある状況が発生した場合でも（例えば光ディスクへのコピーが不完全、機器アームのディスク挟みミス等）コピー装置はやはり継続的に作業を行うため、発見した時には既に業者の莫大な損失となってしまう。コピー装置の発生した状況が機器アームの故障である場合、即時に故障を発見せずにそれを取り除かなければ、業者が気付いたときには既に出荷に間に合わず、機器アームにより既に非常に多くの光ディスクが損傷を受け、実際の使用において使用者の要望にはやはり応えられないものである。
【考案の概要】
【考案が解決しようとする課題】
【０００４】
本考案の目的はインターネット化即時コピー装置を提供することにあり、少なくとも二つのコピー装置と一つのモニターユニットを組み合わせて構成され、前記モニターユニットと各コピー装置の制御本体による相互伝送制御部分は有線伝送或いは無線伝送を採用可能で、各コピー装置の制御本体は本考案のスイッチ、操作モード及び入力式で記録したコピーのスタートエンド時間をコントロール可能であり、前記制御本体に設けた探知ユニットは即時にコピーユニットの作業状態を知ることができ、また、前記コピーユニットは制御本体の一端と電気的に接続し、少なくとも二つのコピー機と光ディスク配置区は機器アームの一方側に設け、前記機器アームは光ディスクをキャッチし放し、少なくとも二つのコピー機は連続的に光ディスクをコピーする。これにより即時の通報監視、インターネット通信を通した簡易なコントロールと連絡、及び中断なしの継続的なコピーという絶妙効果を達成し、本考案における全操作の機能と効率を大幅に向上させる。
【課題を解決するための手段】
【０００５】
前述の目的を達成するために、本考案は少なくとも二つのコピー装置とモニターユニットを備えるインターネット化即時コピー装置を提供する。各コピー装置は制御本体とコピーユニットを備え、前記制御本体は探知ユニットを設け、前記コピーユニットは制御本体の一端と電気的に接続し、前記コピーユニットは機器アームと少なくとも二つのコピー機と光ディスク配置区とを備え、前記少なくとも二つのコピー機と光ディスク配置区は前記機器アームの隣に設け、前記機器アームは光ディスクをキャッチし放し、少なくとも二つのコピー機は連続的に光ディスクをコピーする。前記モニターユニットは各コピー装置の制御本体と伝送制御し合って即時の監視を行い続けて光ディスクの正常コピーを完成する。
【考案の効果】
【０００６】
本考案のインターネット化即時コピー装置は、即時の通報監視、インターネットを通した便利な連絡、及び中断なしの継続的なコピーを兼ね備え、全体的な効果を向上させ、光ディスクのコピーによる材料損失を減少させる特徴を持つ。
【図面の簡単な説明】
【０００７】
【図１】本考案の実施例に関する立体外観図である。
【図２】本考案の実施例に関するコピーユニットの上面動作図である。
【図３】本考案の実施例に関するプリンター部の上面動作図である。
【図４】本考案の実施例に関するコピーユニットの側面動作図である。
【図５】本考案の実施例に関する側面図である。
【考案を実施するための形態】
【０００８】
本考案の前述及びその他の目的及び長所は、下記に選択した実施例の詳細説明及び添付図面により更に深く理解することができる。
【０００９】
当然ながら、本考案のある部品上或いは部品の配置上異なるものを受け入れることは可能であるが、選択した実施例は本説明書において詳細説明を与え添付図面によりその構造を明らかにする。
【００１０】
図１乃至５に示す通り、本考案はインターネット化即時コピー装置であり、インターネット化即時コピー装置は少なくとも二つのコピー装置１と一つのモニターユニット２とを備える。
【００１１】
各コピー装置１は制御本体１０とコピーユニット２０を備え、前記制御本体１０は本考案のスイッチ、操作モード及び入力式で記録したコピーのスタートエンド時間及びその他関連情報をコントロール可能であり、前記制御本体１０に設けた探知ユニット１１は即時にコピーユニット２０の使用状態を知ることができ、また、前記コピーユニット２０は制御本体１０の一端と電気的に接続し、機器アーム２１と少なくとも二つのコピー機２２と光ディスク配置区２３を備え、前記コピー機２２と光ディスク配置区２３は機器アーム２１の一方側に設け、前記機器アーム２１は光ディスクをキャッチし放し、少なくとも二つのコピー機２２は連続的に光ディスクをコピーする。
【００１２】
前記モニターユニット２は各コピー装置１の制御本体１０と伝送制御し合って即時の監視をし続けて光ディスクの連続的な正常コピーを行わせる。前記モニターユニット２と各コピー装置１の制御本体１０による相互伝送制御部分は有線伝送或いは無線伝送のいずれか一つを選択可能であり、前記モニターユニット２はパソコン、携帯電話、ＰＤＡ（Personal Digital Assistant携帯情報端末）の何れか一つとする。
【００１３】
各コピー装置１には更にプリンター部３０を設けることも可能で、前記プリンター部３０は機器アーム２１の隣に配置し、前記プリンター部３０は制御本体１０の他の一端と電気的に接続し、前記プリンター部３０にはプリンター３１とトレイ３２を備える。前記トレイ３２は制御本体１０のコントロールを受けて伸縮してコピー済みの光ディスクを収め、前記プリンター３１はトレイ３２上のコピー済みの光ディスクにデータをプリントする。前記光ディスク配置区２３の一端には複数の支持棒２３１を繞設したコピー待ち区を設け、前記光ディスク配置区２３の他の一端には定位棒２３２を含む完成した光ディスクを置くエリアを設ける。
【００１４】
前述構造により構成されるインターネット化即時コピー装置は、図１乃至図５に示す通りであり、本考案の特徴は、少なくとも二つのコピー装置１と一つのモニターユニット２を組み合わせた設計にあり、しかも前記モニターユニット２と各コピー装置１の制御本体１０による相互伝送制御部分は有線伝送或いは無線伝送を採用し、各コピー装置１の制御本体１０は本考案のスイッチ、操作モード及び入力式で記録したコピーのスタートエンド時間及びその他関連情報をコントロール可能であり、前記制御本体１０に設けた探知ユニット１１は即時にコピーユニット２０の作業状態を知ることができ、また、前記コピーユニット２０は制御本体１０の一端と電気的に接続し、少なくとも二つのコピー機２２と光ディスク配置区２３は機器アーム２１の傍らに設け、前記機器アーム２１は光ディスクをキャッチし放し、少なくとも二つのコピー機２２は連続的に光ディスクをコピーする。これにより即時の通報監視、インターネット通信を通した便利な連絡、及び中断なしの継続的なコピー、コピー装置１に問題が発生した時（例えば光ディスクのコピーが不完全、機器アーム２１が光ディスクの挟み込みに失敗、機器アーム２１の故障等）のコピー作業継続を効果的に防止する。また、前記プリンター部３０は制御本体１０のコントロールを受けてトレイ３２を伸縮させ、コピー済みの光ディスクを収め、前記プリンター３１はトレイ３２上のコピー済みの光ディスクにデータをプリントするため、コピー及び印刷効果を兼ね備えて一体化したインターネット化即時コピー装置である。本考案を実際に操作する時、前記コピー装置１に故障が発生したり特殊な状況が起きた場合は、各コピー装置１の制御本体１０は即刻、有線伝送或いは無線伝送によって前記モニターユニット２に知らせ（前記モニターユニット２はパソコン、携帯電話、携帯情報端末等とする）、この時モニターユニット２は即刻既存の有線伝送或いは無線伝送を使って通知して（例えばｅ−ｍａｉｌ、ショートメッセージ、音声、制御信号等）人工的に問題を排除させるか、直接コピー装置１に対して再設定を行い即時に正常なコピー作業に戻らせる。また、前述のような問題処理において生じるコピー作業の中断を避けるために、前記モニターユニット２は即時に既存の有線伝送或いは無線伝送を使って通知し、他のコピー装置１をコントロールしてコピー作業を継続させる。よって、本考案は即時の通報監視、インターネット通信を通した簡易なコントロールと連絡、中断なしの継続的なコピー、及びコピー作業と印刷作業の一体化という絶妙効果を達成し、全体的な実用性と効果を向上させるものである。
【００１５】
前述の詳細説明により本技術の熟知者は本考案が確実に達成する目的を理解することが可能である。また、本考案は特許法の規定に符合する故、ここに実用新案の出願を行う。
【００１６】
前述したものは単に本考案の実施例であり、これによって本考案の実施範囲を限定することはできない。よって、本考案の特許出願範囲及び本考案の説明書の記載内容に依拠する簡単な同等効果のある変化や修飾は何れも本考案の保護範囲に含まれるものとする。
【産業上の利用可能性】
【００１７】
本考案は実用新案の要件である新規性を備え、従来の同類製品に比べ十分な進歩を有し、実用性が高く、社会のニーズに合致しており、産業上の利用価値は非常に大きい。
【符号の説明】
【００１８】
１    コピー装置
１０    制御本体
１１    探知ユニット
２    モニターユニット
２０    コピーユニット
２１    機器アーム
２２    コピー機
２３    光ディスク配置区
２３１    支持棒
２３２    定位棒
３０    プリンター部
３１    プリンター
３２    トレイ
【図１】
0003163615.tif 000003
【図２】
0003163615.tif 000004
【図３】
0003163615.tif 000005
【図４】
0003163615.tif 000006
【図５】
0003163615.tif 000007